(57)【要約】【課題】必要十分な機能を備えた小型で安価な光ファイバ監視装置を提供する。【解決手段】指示に従って光ファイバ６０に接続されている分岐ポート３４と共通ポート３３とを接続して測定処理を実行して初期測定情報を生成し、分岐ポートをスケジュールに従って順次共通ポートに接続して測定処理を実行して監視測定情報を生成し、初期測定情報と監視測定情報と所定の判定基準とに基づいて異常を検出した場合、異常が発生した分岐ポートに対応する表示器５３を他の表示器とは異なる所定の点灯状態に変化させ、異常発生の旨を記載した電子メールを所定のメールアドレスに宛てて送信するとともに、所定のネットワークを介して接続した管理装置から、特定の分岐ポートについての監視測定情報の要求が送信されてくると、該当する測定情報を返送する光ファイバ監視装置１としている。【選択図】  図２
2011069679.tif 000002
【特許請求の範囲】
【請求項１】
制御部、測定部、ファイバセレクタ部、表示部、通信部、および記憶部を備え、
前記測定部は、光パルスを入出力する入出力ポートと、所定の光パルスを前記入出力ポートに向けて出力する光パルス出力部と、入出力ポートを介して光パルスを受光するとともに、受光強度信号を制御部に向けて出力する光パルス入力部とを含み、
前記ファイバセレクタ部は、複数本の光ファイバのそれぞれに接続される複数の分岐ポートと、前記測定部の前記入出力ポートと光路で接続されている共通ポートと、前記複数の分岐ポートの一つと前記共通ポートとを光路で接続する光路接続機構とを含み、
前記表示部は、前記複数の分岐ポートのそれぞれに対応する複数の表示器と、各表示器の点灯状態を変化させるための表示制御部とを含み、
前記通信部は、通信ネットワークを介して管理装置を含む他の情報処理装置と通信し、
前記記憶部は、電子メールアドレスと、監視条件情報と、測定情報と、異常判定情報と、異常発生情報とを記憶し、
前記監視条件情報は、監視対象の光ファイバに接続される分岐ポートの指定と、当該指定の分岐ポート毎の測定スケジュールとを含み、
前記測定情報は、前記分岐ポート毎の距離と受信強度との対応関係を含み、
前記異常判定情報は、一つの特定の距離と受信強度についての一つの特定の基準値との組み合わせと、分岐ポートとの対応付けを含み、
前記異常発生情報は、分岐ポートと異常発生の旨との対応付けを含み、
前記制御部は、条件記憶処理と、測定情報生成処理と、初期測定処理と、監視処理と、異常判定処理と、異常報知処理と、情報返送処理とを実行し、
前記条件記憶処理では、前記管理装置から送信されてくる前記電子メールアドレスと、前記監視条件情報と、前記異常判定情報とを前記通信部を介して受信するとともに、当該受信した情報を前記記憶部に記憶し、
前記測定情報生成処理では、前記ファイバセレクタ部に特定の分岐ポートと共通ポートとを接続させた上で、前記測定部に前記光パルスを出力させるとともに、当該測定部からの受信強度信号を入力することで、当該分岐ポートについての前記測定情報を生成して前記記憶部に記憶し、
前記初期測定処理では、分岐ポートの指定と初期測定の実行指示を含む情報が入力されると、前記測定情報生成処理により、当該指定の分岐ポートについての前記測定情報を生成し、当該測定情報を初期測定情報として生成して前記記憶部に記憶し、
前記監視処理では、前記測定スケジュールに従って前記測定情報生成処理を実行することで、前記分岐ポートを順次選択して前記共通ポートに接続させるとともに、選択中の分岐ポートについての前記測定情報を生成し、当該測定情報を監視測定情報として前記記憶部に記憶し、
前記異常判定処理では、前記監視処理により、ある分岐ポートについての前記監視測定情報を生成すると、当該分岐ポートについての前記異常判定情報、前記初期測定情報、および当該生成した監視測定情報に基づいて異常の有無を判定し、異常があれば当該分岐ポートについての異常発生情報を生成して前記記憶部に記憶し、
前記異常報知処理では、ある分岐ポートについて前記異常発生情報を生成した場合、前記表示部に当該分岐ポートに対応する表示器を他の表示器とは異なる所定の点灯状態に変化させるとともに、前記通信部を介して当該異常発生情報の内容を記載した電子メールを所定の電子メールアドレスに宛てて送信し、
前記情報返送処理では、前記管理装置が、前記通信部を介して特定の情報の返送指示を送信してくると、該当する情報を前記記憶部から読み出して当該管理装置に返送する、
ことを特徴とする光ファイバ監視装置。
【請求項２】
請求項１において、前記制御部は、前記表示部を制御して、前記監視対象の光ファイバに接続されている前記分岐ポートに対応する表示器と、それ以外の表示器とを異なる点灯状態にさせることを特徴とする光ファイバ監視装置。
【請求項３】
請求項２において、前記制御部は、前記表示部を制御し、前記監視対象の光ファイバに接続されている前記分岐ポートに対応する表示器のうち、前記測定情報生成処理の実行中に前記ファイバセレクタ部により選択されている分岐ポートに対応する表示器と、それ以外の表示器とを異なる点灯状態にさせることを特徴とする光ファイバ監視装置。
【請求項４】
請求項１〜３のいずれかにおいて、
前記記憶部は、Ｗｅｂページとして、前記初期測定情報と監視測定情報のそれぞれを表現する２本のグラフ曲線の画像を含む監視測定情報ページと、前記複数の表示器を模した複数の表示器画像を含む状態確認ページを記憶し、
前記制御部は、Ｗｅｂサーバ機能を備え、前記複数の表示器の点灯状態を前記状態確認ページにおける前記表示器画像に反映させて当該状態確認ページを更新する処理と、新規に生成した前記測定情報を前記監視測定情報ページにおける前記監視測定情報を表現するグラフ曲線の曲線に反映させて当該監視測定情報ページを更新する処理とを実行し、
前記情報返送処理では、前記管理装置におけるブラウザ機能によって特定のＷｅｂページの返送要求が送信されてくると、該当するＷｅｂページを返送する、
ことを特徴とする光ファイバ監視装置。
【請求項５】
請求項４において、前記制御部は、状態確認ページに含まれる前記表示器画像について、前記異常報知処理により所定の点灯状態に変化させた前記表示器に対応する表示器画像に、当該表示器に対応する分岐ポートについての前記監視測定情報ページへのリンクを設定することを特徴とする光ファイバ監視装置。
【請求項６】
請求項４または５において、
前記制御部は、前記Ｗｅｂページとして、前記分岐ポート毎の初期測定情報ページを生成して前記記憶部に記憶する処理を実行し、
ある分岐ポートについての前記初期測定情報ページには、当該分岐ポートについての前記初期測定情報を表現したグラフ曲線を含まれているとともに、前記管理装置が前記ブラウザ機能により前記初期測定情報ページを解釈した際、当該管理装置に、前記グラフ曲線に沿って移動するカーソルを描出させる機能と、当該カーソルの位置を距離の情報に変換させる機能と、当該変換させた距離の情報と当該分岐ポートとを指定する情報とを前記異常判定情報として送信させる機能とが含まれている、
ことを特徴とする光ファイバ監視装置。
【発明の詳細な説明】
【技術分野】
【０００１】
この発明は、例えば、光通信網を構成する光ファイバの異常を監視する光ファイバ監視装置に関する。
【背景技術】
【０００２】
光ファイバ監視装置は、光伝送路を形成する光ファイバ上の異常の有無を監視するための装置であり、例えば、光通信網におけるノードなどに設置される。光ファイバにおける断線などを検出するための方法としては、ＯＴＤＲ法がよく知られている。ＯＴＤＲ法は、光ファイバに向けて光パルスを出力した際、その光パルスの一部が出力端側に戻ってくる後方散乱現象を利用し、光パルスを出力してから、それが戻ってくるまでの遅延時間や、戻ってきた光パルスを受光したときの強度などに基づいて、光ファイバの全長に亘る光パルスの受光強度を測定する。そして、その測定結果から、光ファイバの延長方向の損失を解析したり、光ファイバの途上にある光コネクタなどの接続点などの位置を特定したり、光ファイバの長さを算出したりすることができる。例えば、光ファイバの途上に曲げなどの異常があれば、その異常点における損失によって、当該異常点以遠にて後方散乱する光パルスの強度が低下する。光ファイバが切断していれば、その切断点以遠からの光パルスは戻ってこない。
【０００３】
そして、光ファイバ監視装置は、このＯＴＤＲ法などを用いて光ファイバの状態を所定のスケジュールに従って測定し、異常があれば、その旨を報知する。一般的な光ファイバ監視装置は、複数本の光ファイバと接続し、その複数本の光ファイバから１本の光ファイバを、所定のスケジュールに従って選択するためのファイバセレクタ機能と、選択された光ファイバに対してＯＴＤＲ法を用いて測定し、光パルスの受光強度に応じた信号を出力する測定機能と、ユーザインタフェースを備えてファイバセレクタ機能や測定機能を制御するための管理機能とを備えている。管理機能は、例えば、専用のプログラムが実装されたコンピュータにより実現され、ファイバセレクタ機能と測定機能は、このコンピュータ（解析装置）とは別体の装置の形態で提供される。すなわち、光ファイバ監視装置は、互いに通信可能に接続された管理装置と別体の装置（測定装置）とで構成される。解析装置は、測定装置を制御するとともに、測定装置から送信されてくる受光強度に応じた上記信号をＯＴＤＲ法に基づいて演算処理することで、光ファイバの延長方向における状態を画像化する。例えば、光ファイバ上における接続点などの各位置との関係を画像にしたり、その画像の生成起源となった測定結果の情報を用いて光ファイバの異常やその異常箇所を検出したりする。
【０００４】
図１８は、ＯＴＤＲ法に基づいて光ファイバを測定したときの距離と受光強度の関係を示す図であり、測定装置を起点とした延長方向の距離と光パルスの受信強度との関係をグラフ２００にして示した。この図では、正常時のグラフ曲線２０１と異常時のグラフ曲線２０２が示されている。このグラフ２００に示すように、測定対象となる光ファイバは、コネクタなどを介した接続点２０３において、光パルスの強度が不連続となる。解析装置では、図中に示したグラフ曲線（２０１，２０２）の生成起源となる情報を用いて異常の有無を検出する。解析装置は、定期的な測定に先立って正常時のグラフ曲線２０１の描出起源となったデータを初期測定情報として記憶するとともに、測定機会ごとにその初期測定情報と測定結果とを比較し、異常の有無を検出する。例えば、正常時における接続点前後での受光強度の差を記憶しておき、ある測定機会において、その差が所定値以上であれば異常と判定する。また、解析装置は、監視装置や光ファイバの保守・点検担当者などの電子メールアドレスを記憶し、その電子メールアドレスに宛てて異常が発生した旨を記載した電子メールを作成して送信する処理なども実行する。なお、ＯＴＤＲ法による測定技術については、以下の非特許文献１に記載されている。
【先行技術文献】
【非特許文献】
【０００５】
【非特許文献１】菊池  拓男・西沢  紘一著、「光通信時代を支えるＦＴＴＨ施工技術」、株式会社オプトロニクス社、平成２０年１２月２２日、第３版第１刷発行、Ｐ１９２〜Ｐ２０９
【発明の概要】
【発明が解決しようとする課題】
【０００６】
上述したように、従来の光ファイバ監視装置は、極めて複雑な機能を備えている。特に解析装置は、測定装置を制御する機能、光ファイバの状態を可視化する処理、光ファイバの状態を解析して異常箇所を検出する処理、異常を報知する処理などを含んでいる。異常箇所の検出処理では、光ファイバの延長途上に存在する接続点ごとに異常の有無を検出し、報知機能では、その異常の有無に加えて異常箇所を報知していた。したがって、従来の光ファイバ監視装置では、高価なプログラムを実装した解析装置を必要としていた。また、接続点ごとに異常を検出するために、画像化された初期測定情報に基づいて、光ファイバ上の各接続点の位置を登録する煩雑な初期設定作業を要していた。しかも、測定対象となる光ファイバを追加したり、接続し直したりするごとに、その初期設定作業を繰り返さなければならず、初期設定作業に多くの時間がかかり、試験の実施自体のコストも増加することになる。結果的に、光ファイバ監視装置を安価に提供することが困難となっていた。また、監視装置には、解析装置が含まれているため、装置の小型化も困難であった。
【課題を解決するための手段】
【０００７】
本発明は、上記課題に鑑みなされたものであり、必要十分な機能を備えつつ、光ファイバ監視装置を可能な限り安価に提供し、かつ容易に小型化できるようにすることを目的としている。そして、本発明の主たる発明は、制御部、測定部、ファイバセレクタ部、表示部、通信部、および記憶部を備え、
前記測定部は、光パルスを入出力する入出力ポートと、所定の光パルスを前記入出力ポートに向けて出力する光パルス出力部と、前記入出力ポートを介して光パルスを受光するとともに、受光強度信号を制御部に向けて出力する光パルス入力部とを含み、
前記ファイバセレクタ部は、複数本の光ファイバのそれぞれに接続される複数の分岐ポートと、前記測定部の前記入出力ポートと光路で接続されている共通ポートと、前記複数の分岐ポートの一つと前記共通ポートとを光路で接続する光路接続機構とを含み、
前記表示部は、前記複数の分岐ポートのそれぞれに対応する複数の表示器と、各表示器の点灯状態を変化させるための表示制御部とを含み、
前記通信部は、通信ネットワークを介して管理装置を含む他の情報処理装置と通信し、
前記記憶部は、電子メールアドレスと、監視条件情報と、測定情報と、異常判定情報と、異常発生情報とを記憶し、
前記監視条件情報は、監視対象の光ファイバに接続される分岐ポートの指定と、当該指定の分岐ポート毎の測定スケジュールとを含み、
前記測定情報は、前記分岐ポート毎の距離と受信強度との対応関係を含み、
前記異常判定情報は、一つの特定の距離と受信強度についての一つの特定の基準値との組み合わせと、分岐ポートとの対応付けを含み、
前記異常発生情報は、分岐ポートと異常発生の旨との対応付けを含み、
前記制御部は、条件記憶処理と、測定情報生成処理と、初期測定処理と、監視処理と、異常判定処理と、異常報知処理と、情報返送処理とを実行し、
前記条件記憶処理では、前記管理装置から送信されてくる前記電子メールアドレスと、前記監視条件情報と、前記異常判定情報とを前記通信部を介して受信するとともに、当該受信した情報を前記記憶部に記憶し、
前記測定情報生成処理では、前記ファイバセレクタ部に特定の分岐ポートと共通ポートとを接続させた上で、前記測定部に前記光パルスを出力させるとともに、当該測定部からの受信強度信号を入力することで、当該分岐ポートについての前記測定情報を生成して前記記憶部に記憶し、
前記初期測定処理では、分岐ポートの指定と初期測定の実行指示を含む情報が入力されると、前記測定情報生成処理により、当該指定の分岐ポートについての前記測定情報を生成し、当該測定情報を初期測定情報として生成して前記記憶部に記憶し、
前記監視処理では、前記測定スケジュールに従って前記測定情報生成処理を実行することで、前記分岐ポートを順次選択して前記共通ポートに接続させるとともに、選択中の分岐ポートについての前記測定情報を生成し、当該測定情報を監視測定情報として前記記憶部に記憶し、
前記異常判定処理では、前記監視処理により、ある分岐ポートについての前記監視測定情報を生成すると、当該分岐ポートについての前記異常判定情報、前記初期測定情報、および当該生成した監視測定情報に基づいて異常の有無を判定し、異常があれば当該分岐ポートについての異常発生情報を生成して前記記憶部に記憶し、
前記異常報知処理では、ある分岐ポートについて前記異常発生情報を生成した場合、前記表示部に当該分岐ポートに対応する表示器を他の表示器とは異なる所定の点灯状態に変化させるとともに、前記通信部を介して当該異常発生情報の内容を記載した電子メールを所定の電子メールアドレスに宛てて送信し、
前記情報返送処理では、前記管理装置が、前記通信部を介して特定の情報の返送指示を送信してくると、該当する情報を前記記憶部から読み出して当該管理装置に返送する、
ことを特徴とする光ファイバ監視装置となっている。
【発明の効果】
【０００８】
本発明の光ファイバ監視装置によれば、必要十分な機能を備えつつ、可能な限り安価に提供することが可能となる。また、装置の小型化も容易となる。
【図面の簡単な説明】
【０００９】
【図１】本発明の一実施形態である光ファイバ監視装置の外観図である。
【図２】上記光ファイバ監視装置の機能ブロック図である。
【図３】上記光ファイバ監視装置における監視動作に関わる処理の流れを示す図である。
【図４】上記処理の流れの一部を詳細に示した図である。
【図５】上記光ファイバ監視装置におけるＷｅｂサーバ機能によってブラウザに表示されるログインページの概略図である。
【図６】上記ブラウザに表示される状態確認ページの概略図である。
【図７】上記ブラウザに表示される監視条件設定ページの概略図である。
【図８】上記ブラウザに表示されるポート設定ページの概略図である。
【図９】監視対象の分岐ポートが設定されているときの上記状態確認ページの概略図である。
【図１０】上記ブラウザに表示される初期測定情報ページの概略図である。
【図１１】異常判別距離が入力された状態にある上記ポート設定ページの概略図である。
【図１２】上記ブラウザに表示されるネットワーク設定ページの概略図である。
【図１３】上記ブラウザに表示されるユーザ情報設定ページの概略図である。
【図１４】上記ブラウザに表示されるメールアドレス設定ページの概略図である。
【図１５】異常発生時における上記状態確認ページの概略図である。
【図１６】上記ブラウザに表示される測定結果ページの概略図である。
【図１７】上記ブラウザに表示される監視測定情報ページの概略図である。
【図１８】ＯＴＤＲ法に基づく光ファイバの測定方法を説明するための概略図である。
【発明を実施するための形態】
【００１０】
＝＝＝本発明の実施形態＝＝＝
本発明の実施形態に係る光ファイバ監視装置によれば、必要十分な機能を備えつつ、可能な限り安価に提供することが期待できる。もちろん、機能を絞り込んだだけで、使い勝手、すなわちユーザインタフェース環境が劣悪となってしまえば、光ファイバ監視装置を用いて光ファイバの保守や点検を行うためのコストが増加することになる。そこで、本発明の実施形態に係る光ファイバ監視装置は、保守・点検作業を容易にするための機能や構成も備えている。そして、本発明の実施形態に係る光ファイバ監視装置は、上記主たる発明における特徴の他に、以下の特徴を備えている。
【００１１】
前記制御部は、前記表示部を制御して、前記監視対象の光ファイバに接続されている前記分岐ポートに対応する表示器と、それ以外の表示器とを異なる点灯状態にさせること。
【００１２】
前記制御部は、前記表示部を制御し、前記監視対象の光ファイバに接続されている前記分岐ポートに対応する表示器のうち、前記測定情報生成処理の実行中に前記ファイバセレクタ部により選択されている分岐ポートに対応する表示器と、それ以外の表示器とを異なる点灯状態にさせること。
【００１３】
前記記憶部は、Ｗｅｂページとして、前記初期測定情報と監視測定情報のそれぞれを表現する２本のグラフ曲線の画像を含む監視測定情報ページと、前記複数の表示器を模した複数の表示器画像を含む状態確認ページを記憶し、
前記制御部は、Ｗｅｂサーバ機能を備え、前記複数の表示器の点灯状態を前記状態確認ページにおける前記表示器画像に反映させて当該状態確認ページを更新する処理と、新規に生成した前記測定情報を前記監視測定情報ページにおける前記監視測定情報を表現するグラフ曲線の曲線に反映させて当該監視測定情報ページを更新する処理とを実行し、
前記情報返送処理では、前記管理装置におけるブラウザ機能によって特定のＷｅｂページの返送要求が送信されてくると、該当するＷｅｂページを返送すること。
【００１４】
前記制御部は、状態確認ページに含まれる前記表示器画像について、前記異常報知処理により所定の点灯状態に変化させた前記表示器に対応する表示器画像に、当該表示器に対応する分岐ポートについての前記監視測定情報ページへのリンクを設定すること。
【００１５】
前記制御部は、前記Ｗｅｂページとして、前記分岐ポート毎の初期測定情報ページを生成して前記記憶部に記憶する処理を実行し、
ある分岐ポートについての前記初期測定情報ページには、当該分岐ポートについての前記初期測定情報を表現したグラフ曲線を含まれているとともに、前記管理装置が前記ブラウザ機能により前記初期測定情報ページを解釈した際、当該管理装置に、前記グラフ曲線に沿って移動するカーソルを描出させる機能と、当該カーソルの位置を距離の情報に変換させる機能と、当該変換させた距離の情報と当該分岐ポートとを指定する情報とを前記異常判定情報として送信させる機能とが含まれていること。
【００１６】
＝＝＝光ファイバ監視装置の構成＝＝
図１に、本発明の一実施形態に係る光ファイバ監視装置（以下、監視装置）１の外観図を示した。上下に扁平な箱形の筐体２内にファイバセレクタ機能と光ファイバの状態を測定する機能に関わる構成が収納されている。筐体２の外側前面（前面パネル）３には、複数の光ファイバのそれぞれの終端に設けられる適宜な形式の光コネクタと接続される光アダプタ３２が配設されている。ここに示した例では、１５本の光ファイバを接続することができるように１５系統の光アダプタが配設されている。なお、監視装置は、例えば、複数本の光ファイバを束ねた光ファイバケーブルの異常を発見する用途などに供される。監視装置には、光ファイバケーブルに含まれる複数本の光ケーブルの内、実際に通信に供されていない光ファイバ（いわゆるダークファイバ）を接続する。そして、その接続した光ファイバに異常があれば、通信に供されている光ファイバにも異常が発生している可能性が高いと判定できる。
【００１７】
また、前面パネル３には、１５系統の光アダプタ３２に対応して１５個の表示器であるＬＥＤ（以下、監視用ＬＥＤ５３）が配設されている。前面パネルに３は、さらに、パーソナルコンピュータなどの外部の情報処理装置、あるいは周辺機器と接続するための各種通信用ポート（４２〜４４）を備えている。本実施例では、２系統のＬＡＮポート４２と、１系統ずつのＵＳＢ規格のコネクタ（ＵＳＢ端子）４３とＲＳ２３２Ｃ規格のコネクタ（ＲＳ２３２Ｃコネクタ）４４を備えている。また、前面パネル３には、電源スイッチを含む各種操作ボタン５５や電源ソケット４、監視装置１の動作状態を示すためのＬＥＤなどの表示灯（状態表示ランプ）５４なども配設されている。なお、設置状態にある監視装置１では、２系統のＬＡＮポート４２のうちの一系統が常時インターネットに接続されているものとする。
【００１８】
図２は、監視装置１の機能ブロック構成を示している。当該監視装置１は、制御部１０、通信部４０、測定部２０、ファイバセレクタ部３０、入出力部５０を機能ブロックとして含んでいる。
【００１９】
制御部１０は、ＣＰＵ１１、ＲＡＭ１２、ＲＯＭ１３を含んで構成されるマイクロコンピュータである。そして、ＲＡＭ１２やＲＯＭ１３などの主記憶部とは別に、読み書き可能な記憶部としてフラッシュメモリ１４も備えて、他の機能ブロックを制御する。通信部４０は、各種ポート（４２〜４４）と通信制御部４１と含み、通信制御部４１は、外部の情報処理装置と制御部１０とのデータ通信を仲介する。本実施形態において、情報処理装置は、ＬＡＮポート４２、あるいはＲＳ２３２Ｃコネクタ４４のいずれかの通信ポートを介して通信することとしている。ＵＳＢ端子４３には、例えば、メモリカードリーダなどの周辺機器が接続される。そしてＵＳＢ端子４３は、メモリカードを用いてファームウエアをアップデートする用途などに供される。
【００２０】
入出力部５０は、操作ボタン５５による利用者入力を受け付けたり、監視用ＬＥＤ５３や状態表示ランプ５４の点灯状態によって利用者に向けて情報を出力したりする機能ブロックであり、操作制御部５２は、操作ボタン５５が押下されたときに発生する信号を所定形式のデータに変換して制御部１０に入力する。また、表示制御部５１は、制御部１０からのデータに従って監視用ＬＥＤ５３や状態表示ランプ５４を駆動し、その点灯状態を変化させる。なお、監視用ＬＥＤ５３は、１個で赤と緑の二色を切り替えて点灯可能であり、表示制御部５１は、各監視用ＬＥＤ５３を点灯、消灯、点滅のいずれかの点灯状態となるように駆動する。
【００２１】
測定部２０は、ＯＴＤＲ法に基づいて光アダプタ３２に接続される光ファイバ６０の状態を測定する機能ブロックであり、光パルスの入力と出力とを兼用する光ポート（入出力ポート）２４と、その入出力ポート２４を介して光パルスの入出力を行うための光カプラ２３と、光パルス出力部２１と、光パルス入力部２２とを備えている。光パルス出力部２１は、レーザダイオードやそのレーザダイオードを制御部１０からの制御信号に従って駆動するためのレーザ発振回路を含み、所定のパルス幅や強度の光パルスを光カプラ２３を介して入出力ポート２４より出射する。光パルス入力部２２は、後方散乱により戻ってきた光パルスを光カプラ２３を介して入力する。そして、その入力した光パルスを受光するための受光素子、受光素子が受光強度に応じて出力するアナログ信号をサンプリングしてデジタルデータ（受光強度信号）に変換するためのＡＤコンバータなど含んでいる。
【００２２】
ファイバセレクタ部３０は、光スイッチ３１を主体にして構成されている。光スイッチ３１は、測定部２０における入出力ポート２４と光路で接続されている1個の光ポート（共通ポート）３３と、複数の光アダプタ３２のそれぞれと筐体２の内部で光路で接続されている複数個の光ポート（分岐ポート）３４とを備え、モータ３５を用いた光路接続機構３７により、複数個の分岐ポート３４のいずれかと共通ポート３３とを内部光路で接続する。当該実施形態では、１５個の分岐ポート３４を備えた１×１５光スイッチとなっている。そして、モータ３５とモータドライバ３６により、分岐ポート３４と共通ポート３３との光路接続状態を切り替えるための光路接続機構３７が構成されている。モータドライバ３６は、制御部１０から分岐ポート３４の指定情報を含んだ制御信号を入力すると、指定の分岐ポート３４と共通ポート３３とが光路で接続されるようにモータ３５を駆動する。
【００２３】
＝＝＝監視装置の動作＝＝＝
以下では、本発明の実施例として、図１や図２に示した構造や構成を備えた監視装置１の動作や運用形態などを挙げる。監視装置１の動作は、光アダプタ３２に接続される光ファイバ６０を所定の条件に従って測定することを基本とし、概略的には、フラッシュメモリ１４に、その測定条件に関わる初期設定情報を記憶させておき、制御部１０は、この初期設定情報に従って測定部２０とファイバセレクタ部３０とを制御し、測定対象の光ファイバ６０に対する測定結果（測定情報）をフラッシュメモリ１４に記憶する。また、測定情報を初期設定情報に含まれる異常の判定条件（異常判定情報）と比較し、異常があればその旨を報知する。
【００２４】
本実施例における監視装置１では、ＬＡＮポート４２やＲＳ２３２Ｃコネクタ４４を介して接続されている外部の情報処理装置から送信されてくる初期設定情報を記憶することとしている。この情報処理装置としては、ノートブック型のパーソナルコンピュータなどを想定している。そして、この情報処理装置（管理装置）には、所定のプロトコルに従って監視装置の制御部と通信し、フラッシュメモリ１４内の記憶情報を読み込んだり、フラッシュメモリ１４に各種情報を書き込んだりするためのプログラム（管理プログラム）が実装されているものとする。すなわち、本実施形態における監視装置１の構成には、上述した一般的な監視装置における解析装置が含まれておらず、監視装置１自体に解析装置の一部の機能が実装されて、解析装置がなくても自立して監視動作を行えるようになっている。そして管理装置は、主に、監視装置１のユーザインタフェースとして機能する。
【００２５】
図３に、監視装置１の動作に伴う制御部１０の処理の流れ図を示した。まず、初期設定情報を記憶する処理を実行する（ｓ１）。初期設定情報には、例えば、監視対象となる光ファイバ６０が接続されている分岐ポート（監視対象の分岐ポート）３４の指定、監視対象の分岐ポート３４毎の測定スケジュールなどを含む監視条件情報、異常の有無を判定する際の基準など記述した異常判定情報がある。また、各分岐ポート３４についての名称なども初期設定情報として記憶する。なお、本実施例では、特定の分岐ポート３４を指定するために、各分岐ポート３４にポート番号が割り当てられており、制御部１０は、そのポート番号によって各分岐ポート３４を識別している。そして、以下では、特に断り書きがない限り、分岐ポート３４は監視対象の分岐ポート３４であるものとする。
【００２６】
制御部１０は、初期設定情報をＬＡＮポート４２やＲＳ２３２Ｃコネクタ４４などの適宜な通信ポートに接続された管理装置より取得する。管理装置は、初期設定情報を指定するための利用者入力を受け付けると、その初期設定情報を監視装置１に向けて送信する。制御部１０は、管理装置から送信されてきた初期設定情報をフラッシュメモリ１４に書き込む。
【００２７】
ところで、異常判定情報については、実際に接続されている光ファイバ６０が正常な状態にあるときの測定情報を基準として異常の有無を判断する必要があることから、実際に監視動作に移行する前に、その正常な状態における光ファイバに対して測定を行って、その正常時の測定情報（初期測定情報）を記憶する初期測定情報取得処理が必要となる。制御部１０は、管理装置から、分岐ポート３４のいずれかの指定と初期測定情報の取得指示とを通信制御部４１を介して受信すると、ファイバセレクタ部３０を制御して指定された分岐ポート３４を選択して共通ポート３３に接続させるとともに測定部２０を制御して光パルスを出力させる。そして、後方散乱により戻ってきた光パルスの受光強度信号を測定部２０より入力し、距離と受光強度との関係を記述した測定情報を選択中の分岐ポート３４についての初期測定情報としてフラッシュメモリ１４に記憶する。この一連の処理を全ての監視対象の分岐ポート３４について行う。
【００２８】
監視装置１の保守・点検などを担当する利用者（担当者）は、分岐ポート３４についての初期測定情報を記憶させたならば、管理装置を操作し、分岐ポート３４のそれぞれについて、異常の判定条件を設定する。すなわち、異常判定情報をフラッシュメモリ１４に記憶させる。本実施例では、分岐ポート３４のそれぞれに接続されている光ファイバ６０の延長途上における任意の位置を異常判定点とし、初期測定情報における異常判定点での受光強度に対し、監視中に随時生成される測定情報（監視測定情報）における異常判定点での受光強度が所定値以上低下した場合をもって異常と判定することとしている。この所定値（基準値）については、各分岐ポート３４に一律に設定してもよいし、分岐ポート３４毎に個別に設定してもよい。しかし、異常判定点については、監視対象の光ファイバ６０の長さが全て同じであるとは限らないため、分岐ポート３４毎に個別に設定することとしている。
【００２９】
なお、異常判定点は、光ファイバ６０の終端、すなわち、監視装置１に対して反対側の端部であることが望ましい。これは、光ファイバ６０の延長途上のどこに異常があっても、終端であれば、必ずその異常による受光強度の低下を検出することができるからである。そして、異常判定点は、監視装置１側を起点として、その起点から当該異常判定点までの距離によって特定することができる。したがって、異常判定情報には、分岐ポート３４毎に、一つの特定の距離と受光強度についての一つの特定の基準値との組み合わせが含まれていればよい。管理装置は、利用者入力により設定された分岐ポート３４毎の異常判定点までの距離や基準値を監視装置１に送信し、制御部１０は、これを異常判定情報としてフラッシュメモリ１４に記憶する。
【００３０】
制御部１０は、管理装置からの監視開始の指示、あるいは所定の操作ボタンに対する押下操作を受け付けると、監視条件情報に従って分岐ポート３４に接続されている光ファイバ６０の監視を開始する（ｓ２→ｓ３）。図４に当該監視動作に関わる処理（ｓ３）の詳細を流れ図にして示した。まず、監視動作を開始すると、表示制御部５１を制御し、監視対象の分岐ポート３４に対応する監視用ＬＥＤ５３を所定の点灯状態にとなるように点灯させる。本実施例では、該当する監視用ＬＥＤ５３を緑色に点灯させ（ｓ２１）、監視対象外の分岐ポート３４に対応する監視用ＬＥＤ５３を消灯状態にする。
【００３１】
そして、初期設定情報の監視条件情報に含まれているスケジュールに従って分岐ポート３４を順次選択して共通ポートに接続し（ｓ２２）、測定部２０により、その選択した分岐ポート３４に接続されている光ファイバ６０に対して測定を行う（ｓ２３）。また、分岐ポート３４のうち、測定中の光ファイバに接続されている分岐ポート（測定対象ポート）３４については、対応する監視用ＬＥＤ５３を緑色の点滅状態にする（ｓ２４）。そして、その測定対象ポートについての測定情報（監視測定情報）を生成してフラッシュメモリ１４に記憶していく。なお、本実施例では、一つの分岐ポート３４について１００回の測定機会分の監視測定情報を記憶することが可能であり、１０１回目の測定機会以降は、古い監視測定情報から順に上書きしていく。
【００３２】
制御部１０は、測定機会ごとに生成した監視測定情報を該当の分岐ポート３４についての初期測定情報と比較し、その比較結果を異常判定情報に照会する。そして、異常であると判定した場合には、異常の旨を当該分岐ポート３４に対応付けして異常発生情報を生成し、フラッシュメモリ１４に記憶するとともに、その異常発生の旨を報知する処理を実行する（ｓ４→ｓ５→ｓ６）。
【００３３】
具体的には、測定対象ファイバにおいて異常があると、対応する監視用ＬＥＤ５３を赤色の点滅状態にする。測定後は、異常が発生した光ファイバに対応する監視用ＬＥＤ５３を赤色の点灯状態にする（ｓ２７）。それによって、異常のある光ファイバ６０がどの分岐ポート３４に接続されているのかが一瞥して確認できるようにしている。さらに、制御部１０のＲＯＭ１３には電子メール送信プログラムが実装されており、制御部１０は、異常発生情報を生成すると、フラッシュメモリ１４に記憶されている電子メールアドレスを宛先とするとともに、本文や件名などに異常発生情報の旨や、発生した異常の内容などを記載した電子メールを作成する。電子メールに記載する内容は、例えば、異常発生の旨の定型メッセージに、異常が発生した監視装置１の識別番号、異常発生日時、異常が発生した光ファイバ６０に対応する分岐ポート３４のポート番号や名称などを付記したものである。そして、その作成した電子メールをＬＡＮポート４２を介してインターネット上に送出する（ｓ２８）。このようにして、監視動作（ｓ３）から異常発生報知（ｓ６）までの処理を繰り返す（ｓ７→ｓ３）。そして、管理装置から試験終了の指示情報が送信されてきたり、監視装置１における所定の操作ボタン５５を押下されたりするなどして、試験終了の指示を受け付けたならば、監視動作を終了させる（ｓ７→終わり）。
【００３４】
＝＝＝異常解析＝＝＝
監視装置１の前面パネル３に配設されている監視用ＬＥＤ５３の点灯状態により異常を確認したり、異常発生の旨の電子メールを受け取ったりした担当者は、異常のある光ファイバ６０を正常な状態に復旧させるために所定の作業を行う。そして、その復旧作業を確実に行うためには、異常の内容を詳しく解析することが必要となる。以下では、その異常解析作業の内容について、一例を挙げて説明する。まず、異常の発生を確認した担当者は、自身の管理装置を監視装置１に接続し、管理プログラムを起動する。そして、管理装置を操作して、監視装置１のフラッシュメモリ１４に記憶されている分岐ポート３４毎の初期測定情報、監視測定情報、および異常発生情報を転送させるとともに、これらの転送情報を管理装置のディスプレイに表示させる。
【００３５】
例えば、管理装置にて、異常が発生した光ファイバ６０に対応する分岐ポート３４と、その分岐ポート３４において、異常発生情報が対応付けされている監視測定情報を指定する。監視装置１は、その指定情報を受信すると、該当の監視測定情報を管理装置に転送する。担当者は、管理装置を操作し、当該監視測定情報を図１８に示したようなグラフ２００として表示させる。このグラフ２００には、初期測定情報に対応するグラフ曲線２０１と異常発生時の監視測定情報に対応するグラフ曲線２０２の双方が含まれている。そして、担当者は、グラフ化された測定情報（２０１，２０２）を見て、異常発生位置やその異常の内容を確認する。図示した例では、監視装置１側から見て最初の接続点２０３以遠からの受光強度が低下している。また、初期測定情報の曲線２０１と監視測定情報の曲線２０２は、ほぼ同じ形状であり、断線ではなく、曲げなどの原因による損失を疑うことができる。担当者は、このようにして、異常発生位置を確認し、異常の内容を推測することで、速やかに以後の復旧作業に移行することができる。
【００３６】
すなわち、本実施例における監視装置１の運用形態では、スケジュールに基づいて光ファイバ６０を監視し、異常があればその旨を報知する、という必用最小限の動作のみを監視装置１で行わせ、異常位置の特定や異常内容の判定など、高度な作業は人間が行うこととしている。そして、本実施形態に係る監視装置１の特徴は、高度な情報処理や複雑な構成を伴わずに、人間側の高度な作業を迅速かつ快適に支援できる情報を生成する点、および複雑で高価な表示装置を備えることなく、監視用ＬＥＤ５３の表示状態だけで、人間が光ファイバ６０の測定状態や測定結果が一瞥して認識できるようにした点にある。そして、これらの特徴を備えた監視装置１は、装置自体の製造コストを極めて安価にすることができるとともに、保守・点検作業に係るコストも低減させることが期待できる。また、異常解析時以外は、管理装置が不要であり、監視装置自体を設置するためのスペースを節約することができる。
【００３７】
＝＝＝Ｗｅｂサーバ機能＝＝＝
本実施形態における監視装置１は、複雑なユーザインタフェースを備えておらず、初期設定情報などの設定作業や測定結果の詳細を確認するための作業など、高度な作業については管理装置にて行う。すなわち、管理装置は、監視装置１のユーザインタフェースとして機能する。そして、監視装置１は、人間側の高度な作業を迅速かつ快適に支援できる情報を生成する点に特徴を有している。しかも、監視装置１は、その情報の加工方法にも特徴を有して、管理装置が当該情報を可視化する際の処理負荷を軽減できるようになっている。
【００３８】
具体的には、ＲＯＭ１３やフラッシュメモリ１４などの適宜な記憶部には、各種ＣＧＩを含むＷｅｂサーバプログラムが実装されており、当該記憶部には、Ｗｅｂサーバプログラムに加え、Ｗｅｂページの生成起源となるＨＴＭＬ文書、Ｗｅｂページ中に挿入される画像の生成起源となる画像データ、アカウントやパスワードなどの認証情報なども記憶されている。また、ＨＴＭＬ文書、画像データ、ＣＧＩなどのＷｅｂサーバプログラムによって読み出されるプログラムやスクリプトには、所定のＵＲＬが対応付けされており、制御部１０をＷｅｂサーバとしたＷｅｂサイト（管理サイト）が構築されている。そして、制御部１０は、アクセスしてきたブラウザから送信されてきた情報をフラッシュメモリ１４に書き込んだり、ＲＯＭ１３やフラッシュメモリ１４に記憶されている情報をＷｅｂページ内に転記したり、これら記憶情報を処理して各種画像データを生成して画像化したりしてＷｅｂページの内容を動的に更新していく。したがって、管理装置に実装されている管理プログラムは、パーソナルコンピュータに標準で実装されているブラウザであり、そのブラウザが管理サイト内の各種Ｗｅｂページを介して初期設定情報を含む各種情報を制御部に向けて送信したり、画像化されたフラッシュメモリ内の情報をＷｅｂページにより可視化したりする。以下では、監視装置１におけるＷｅｂサーバ機能に基づいて、監視装置１のユーザインタフェース環境などを説明する。
【００３９】
＜管理サイトへのアクセス＞
管理装置を監視装置１に接続する機会は、概ね、初期設定情報を記憶させるとき、監視動作を開始させるとき、異常の報知を受け取ってその異常の内容を確認するとき、の３度である。しかし、いずれの機会においても、まず、管理装置にてブラウザを起動し、そのブラウザを管理サイトにアクセスさせる操作を行う。なお、以下では、管理装置において、監視装置１とＨＴＴＰ通信したりＷｅｂページを表示したりするための機能や構成を「ブラウザ」、制御部１０において、ブラウザとＨＴＴＰ通信したりＷｅｂページの内容を書き換えたりする機能や構成を「Ｗｅｂサーバ」として説明する。
【００４０】
Ｗｅｂサーバには所定のＩＰアドレスが割り当てられている。また、Ｗｅｂサーバは、認証手続きを経たブラウザのみ管理サイトへのアクセスを許可している。そしてＷｅｂサーバは、自身に割り当てられたＩＰアドレスをＵＲＬとしたＨＴＴＰリクエストをブラウザから受け取ると、図５に示したような、認証手続きを行うためのＷｅｂページ（ログインページ）１００を返送する。
【００４１】
当該ログインページ１００には、認証情報を入力するためのテキストボックス（１０１，１０２）とその入力したテキストを所定のＣＧＩに向けて送信するためのログインボタン１０３とが配設されている。担当者は、ブラウザを操作し、このログインページ１００のテキストボックス（１０１，１０２）に自身のアカウントやパスワードを入力してログインボタン１０３をマウスでクリックするなどして指示する。そして、前記ＣＧＩは、ブラウザから送信されてきたアカウントとパスワードからなる認証情報がフラッシュメモリ１４に記憶されている認証情報に一致したならば、管理サイトへのアクセスを許可する。
【００４２】
＜初期設定＞
次に、ブラウザが管理サイトのＷｅｂページを介して初期設定情報を監視装置に設定させる手順について説明する。図６〜図１４に、当該手順においてブラウザに表示されるＷｅｂページの遷移状態を例示した。Ｗｅｂサーバは、ＣＧＩによってブラウザが認証されると、当該ブラウザを管理サイトにログインさせ、図６に示したＷｅｂページを返送する。このＷｅｂページ（状態確認ページ）１１０には、監視装置１の前面パネル３の一部を模した画像１１１が含まれている。この例では、前面パネル３に配設されている監視用ＬＥＤ５３や状態表示ランプ５４、ＬＡＮポート４２、操作ボタン５５などに対応する画像（１１２〜１１７）が含まれている。監視用ＬＥＤ５３を模した画像（ＬＥＤ画像）１１２の表示状態は、監視装置１の監視用ＬＥＤ５３の点灯状態がそのまま反映される。ここでは、監視対象の分岐ポート３４が指定される前の状態を示しており、全てのＬＥＤ画像１１２が消灯状態（図中、黒塗りつぶし）となっている。
【００４３】
ここで、担当者は、監視対象の分岐ポート３４を指定するとともに、監視対象の分岐ポート３４毎に個別に監視スケジュール、および異常を判定する際の基準値などを設定する。まず、状態確認ページ１１０に設定されている適宜なリンクを指示し、図７に示したＷｅｂページ１２０を取り寄せて表示させる。このＷｅｂページ（監視条件設定ページ）１２０には、監視スケジュールを設定するためのリストダウンボックス（１２１〜１２３）や、異常の判定基準を設定するためのテキストボックス（１２４〜１２６）などが含まれている。この例では、監視スケジュールは、毎月、毎週、毎日の夫々について個別に設定することができ、図示した例では、毎月１２日の１２時００分を測定機会としたスケジュール、毎週火曜日の６時３０分を測定機会としたスケジュール、および毎日００時００分を測定機会としたスケジュールが設定されている。また、「断線」と記載されたテキストボックス１２４は、異常の判定基準として、異常判定点における初期測定情報の受信強度と監視測定情報の受信強度との差分を入力するためのものである。また、監視測定情報における受信強度は、常に一定であるとは限らないため、当該受信強度が初期測定情報に対して異常の判定基準となる差分以上となった後に、再度差分以下に復旧する場合も考慮し、その復旧したと判断するための差分値を「復旧」と記載されたテキストボックス１２５に入力することができるようになっている。例えば、ある測定機会において、初期測定情報と監視測定情報との差分が５ｄＢ以上あって、異常が発生したと判断された後、次の測定機会でその差分が２．５ｄＢ以下になっていれば、復旧したものと判断する。このようにして、監視スケジュールや異常の判定基準値などをブラウザにて入力すると、それらの数値がＷｅｂサーバに送信され、初期設定情報の一部として記憶される。
【００４４】
つぎに、担当者は、監視対象の分岐ポート３４を指定するとともに、当該指定した分岐ポート３４のスケジュールを設定するために、図８に示したＷｅｂページ１３０をブラウザにより取り寄せる。このＷｅｂページ（ポート設定ページ）１３０には、分岐ポート３４をポート番号によって選択するためのリストダウンボックス１３１と、その選択したポート番号に対する名称を入力するためのテキストボックス１３２、異常判定点の距離の表示欄１３３、および選択したポート番号の分岐ポート３４について、個別にスケジュールを設定するためのリストダウンボックス１３４などが含まれている。図示した例では、１番目の分岐ポート３４を指定するためのポート番号「１」が選択されており、ポート名称として「Ｐ１」が入力されている。なお、異常判定点については、まだ設定されていないので、「０」ｋｍと表示されている。そして、測定スケジュールを設定するためのリストダウンボックス１３４では、先の監視条件設定ページ１２０にて設定した毎月、毎週、毎日のいずれかを選択することができる。たとえば、「毎週」を選択すれば、ポート番号１の分岐ポート３４については毎週火曜日の６時３０分の測定機会において測定されることになる。すなわち、複数の分岐ポート３４を同じスケジュールで測定する場合には、ポート番号が若い方から順次測定されることになる。また、監視対象外の分岐ポート３４については、「除外」を選択するようになっている。
【００４５】
ところで、以上までの設定作業では、異常判定点が設定されていない。そこで、監視対象の分岐ポート３４に接続されている光ファイバ６０に対して測定を行い、初期測定情報を取得し、その上で、異常判定点を設定する。ここでは、先に示した状態確認ページ１１０を表示させる。ブラウザにて当該状態確認画面１１０を呼び出すと、監視対象の分岐ポート３４に対応するＬＥＤ画像１１２が緑色に着色されて表示される。図９にその状態を示した。当該図では、監視対象の分岐ポート３４に対応する緑色のＬＥＤ画像１１２を網点で示している。つぎに、分岐ポート３４についての初期測定情報を測定させるために、この状態確認画面１１０における「ＩＮＩＴ」ボタン１１６をマウスクリック操作などにより指示する。制御部１０は、Ｗｅｂサーバ機能によってこの指示を受け取ると、全ての監視対象の分岐ポート３４を順次選択して共通ポート３３に接続させるとともに、選択している分岐ポート３４に接続されている光ファイバ６０に対してＯＴＤＲ法に基づく測定を行う。そして、ある分岐ポート３４に対する測定が終わると、その分岐ポート３４についての初期測定情報を生成して記憶する。
【００４６】
以上のようにして、全ての監視対象の分岐ポート３４について測定が終了したならば、つぎに、異常判定点を指定する作業に移行する。状態確認ページ１１０におけるＬＥＤ画像１１２のいずれかが指示されると、Ｗｅｂサーバは、指示されたＬＥＤ画像１１２に該当する分岐ポート３４についての初期測定情報をグラフで表現した画像を生成し、図１０に示したような、初期測定情報のグラフ１４１を含むＷｅｂページ（初期測定情報ページ）１４０を返送する。担当者は、ブラウザを操作し、この初期測定情報ページ１４０上で、異常判定点を設定する。具体的には、表示されたグラフ１４１を見ながら、光ファイバの６０延長途上の適宜な位置を異常判定点として設定する操作を行う。この例では、マウス操作に伴ってグラフ曲線１４２上を移動するカーソル１４３が表示され、適宜なカーソル１４３位置を、例えば、マウスの左クリック操作などによって指定する。初期測定情報ページ１４０を記述するＨＴＭＬ文書には、ブラウザにより解釈され、グラフ曲線１４２に沿って移動するカーソル１４３の横軸１４４の位置を距離に変換し、縦軸１４５の位置を受光強度に変換し、その距離と受光強度とを、所定の表示欄（１４６，１４７）に表示するとともに、Ｗｅｂサーバに向けて送信させるための命令文が記述されている。そしてブラウザは、異常判定点を指定する操作に応動し、ポート番号など、このグラフ曲線１４２に対応する分岐ポート３４を示す情報と、カーソル１４３の位置に対応する距離、および受光強度を示す数値とをＷｅｂサーバに送信し、Ｗｅｂサーバは、これらの情報を該当する分岐ポート３４についての異常判定情報として記憶する。また、ブラウザは、先のポート設定ページ１３０における異常判定点の距離の表示欄に記憶した距離を記入し、ポート設定ページ１３０を更新する。図１１に更新後のポート設定ページ１３０の画面を示した。異常判定点の距離の表示欄１３３に距離の値が記入されている。
【００４７】
初期設定情報には、異常の旨の電子メールの宛先となる電子メールアドレスや認証情報なども含まれる。また、監視装置自体のＩＰアドレスなど、ネットワークを介した通信に関わる各種条件も初期設定情報として登録する必要がある。図１２〜図１４にその他の初期設定情報を設定するためのＷｅｂページの概略を示した。図１２は、ネットワークに関わる条件を設定するためのＷｅｂページ（ネットワーク設定ページ）１５０である。監視装置１は、工場出荷状態では，所定のＩＰアドレスやサブネットマスク、ゲートウエイのＩＰアドレス、装置番号や名称などがすでに設定されている。当該ネットワーク設定ページ１５０では、例えば、同じサブネットマスク範囲に監視装置を２台設置するような場合などに対応してその当初の設定を変更することができる。
【００４８】
図１３は、担当者についての情報を確認したり設定したりするためのＷｅｂページ（ユーザ情報設定ページ）１６０であり、担当者の識別子となるアカウントと、アカウントに対応する担当者のユーザレベルが記載された一覧表１６１が表示される。ユーザレベルは、管理装置を用いて監視装置１の設定を変更することを許可された「管理者」や、監視装置１内の情報を閲覧することのみ許可された「参照者」などの権限を指定するための情報である。そして、ユーザ情報設定ページ１６０には、新規の担当者を設定するための「新規追加」ボタン１６２、アカウント毎に担当者のレベルや認証情報を変更したりするための「編集」ボタン１６３、アカウントを削除するための「削除」ボタン１６４が含まれている。
【００４９】
図１４は、電子メールアドレスを設定するためのＷｅｂページ（メールアドレス設定ページ）１７０であり、設定済の電子メールアドレスの一覧１７１と、新規の電子メールアドレスを設定するための「新規追加」ボタンとの入力欄１７２と、入力した電子メールアドレスを編集したり削除したりするためのボタン（１７３，１７４）が含まれている。
【００５０】
ブラウザは、これらのＷｅｂページ（１６０，１７０）にて、各種情報を入力したり編集したりするごとに、その入力後、あるいは編集後の情報がＷｅｂサーバに送信され、初期設定情報としてフラッシュメモリ１４に記憶される。情報の削除を指示すると、フラッシュメモリ１４の該当の情報が消去される。
【００５１】
＜監視開始指示＞
担当者は、初期設定情報を全て設定したならば、ブラウザにより状態確認ページ１１０を表示させるとともに、この状態確認ページ１１０中にある「ＳＴＡＲＴ  ＳＴＯＰ」ボタン（図６，図９:符号１１７）を指示して監視装置１に対して監視動作の開始を指示する。あるいは、監視条件設定ページ１２０における「開始」ボタン（図７：符号１２７）を指示する。もちろん、監視装置１の前面パネル３に配設されている該当の操作ボタン５５を押圧してもよい。制御部１０は、これらの操作に基づく指示を受け付けると、分岐ポート３４に接続されている光ファイバ６０を監視条件情報に従って測定していく。また、監視中は、監視装置１の前面パネル３における所定の状態表示ランプ５４を点灯させ、状態確認ページ１１０にも、その状態表示ランプ５４の点灯状態を反映させる。本実施例では、状態確認ページ１１０における「稼働中（in service）」を示す「ＩＮＳ」と示されたランプを模した画像（図６，図９：符号１１４）に反映させる。
【００５２】
＜測定結果レポート＞
次に、電子メールや監視装置１の監視用ＬＥＤ５３の点灯状態により、異常が発生したことを認知した担当者が、その異常についての詳細をＷｅｂページによって確認する作業について説明する。制御部１０は、監視測定情報を生成する機会ごとに、その監視測定情報を異常判定情報に基づいて初期測定情報と比較し、異常の有無を判定する。そして、その判定結果を該当の分岐ポート３４に対応付けしたレポートを作成して記憶する。判定結果が異常であれば、上記の電子メールを作成してインターネット上に送出する。また、本実施例では、異常発生の旨のレポートを生成した後、上記監視条件設定ページ１２０にて設定した復旧のための基準値に基づいて、復旧した、と判定した場合には、その旨のレポートも作成し、復旧した旨を報知するための電子メールを作成してインターネット上に送出することとしている。
【００５３】
また、所定の記憶部には、レポートを一覧表示するためのＷｅｂページ（測定結果ページ）が用意されており、Ｗｅｂサーバは、レポートの作成機会毎にその測定結果ページを更新する。さらに、各分岐ポート３４について、最新のレポートを参照し、異常発生の旨の判定結果が対応付けされている場合、状態確認ページ１１０における該当のＬＥＤ画像１１２の着色状態を変えて、当該状態確認ページ１１０を更新する。
【００５４】
担当者が、異常を認知して管理装置を監視装置１に接続し、ブラウザを管理サイトにログインさせ、状態確認ページ１１０を表示させると、図１５に示したように、特定のＬＥＤ画像１１２が所定の色に着色されている。図中では、該当するＬＥＤ画像１１２に網掛けのハッチングを施した。このようにして管理者は、そのＬＥＤ画像１１２に対応する分岐ポート３４に接続されている光ファイバ６０に異常があったことを再確認する。そして、この状態確認ページからリンクを指示して図１６に示した測定結果ページ１８０を取り寄せて表示させる。この測定結果ページ１８０には、分岐ポート３４を選択するためのリストダウンボックス１８１があり、担当者は、ブラウザを操作して異常を確認した分岐ポート３４をリストダウンボックス１８１により選択し、その分岐ポート３４についてのレポート一覧１８２を表示させる。レポート一覧１８２における、個々のレポートには、最近１００回の測定機会における順番１８３、日時１８４、およびレポートの内容を記載したメッセージ１８５が含まれている。また、個々のレポートごとに、そのレポートの作成起源となった初期測定情報と監視測定情報を可視化するためのＷｅｂベージへのリンクが設定されている「表示」ボタン１８６もレポート一覧１８２に含まれている。そして、ブラウザにより、適宜なレポートに対応する「表示」ボタン１８６を指示すると、図１７に示したように、該当するレポートの生成起源となった初期測定情報と監視測定情報をグラフ１９１にして示したＷｅｂページ（監視測定情報ページ）１９０が表示される。この監視測定情報ページ１９０には、グラフ１９１に対応するポート番号１９２と、該当するレポートの表示欄１９３と、初期測定情報の曲線１９４に沿って移動するカーソル１９５と、そのカーソル位置における距離を表示するためのテキストボックス１９６，その距離における初期測定情報と監視測定情報の受光強度を表示するためのテキストボックス（１９７，１９８）、およびその受光強度の差表示するためのテキストボックス１９９などが含まれている。
【００５５】
また、状態確認ページ１１０におけるＬＥＤ画像１１２を指示すると、該当する分岐ポート３４についての最新の監視測定情報ページ１９０が返送されて表示される。すなわち、管理サイトにログインした時点で表示される状態確認ページ１１０から直接監視測定情報ページ１９０を呼び出すことで、担当者は、異常の内容をより迅速に把握することができる。そして担当者は、この監視測定情報ページ１９０に示されているグラフ１９１を見て、異常発生位置や異常の内容などを確認し、以後の復旧作業に移行すればよい。
【００５６】
なお、本実施例では、担当者が、レポートに基づいて作成された監視測定情報ページ１９０に加え、異常の確認作業を行っている最中でもその異常が継続しているか否かを確認できるようになっている。すなわち、特定の分岐ポート３４に対して手動で測定を行うことができるようになっている。そのために、図７に示した監視条件設定ページ１２０には、分岐ポート３４を選択するためのリストダウンボックス１２８と、手動による測定を実行させるための指示を受け付ける「開始」ボタン１２９があり、分岐ポート３４を選択した上で、この「開始」ボタン１２９を指示すると、ブラウザは、ポート番号と測定開始の旨の指示とをＷｅｂサーバに向けて送信する。制御部１０は、Ｗｅｂサーバ機能により受信したポート番号と測定開始の旨の指示とに従って、ファイバセレクタ部３０と測定部２０を制御し、測定情報を生成するとともに、Ｗｅｂサーバ機能により、この現時点での測定情報に基づく監視測定情報ページ１９０を生成しブラウザに返送する。
【００５７】
＝＝＝監視装置の異常について＝＝＝
監視装置１がＯＴＤＲ法に基づいて光ファイバ６０の状態を測定する際、その光ファイバ６０の起点は、筐体２内部の測定部２０における入出力ポート２４である。したがって、この入出力ポート２４から光アダプタ３２までの光路の異常についても検出することができる。そして、異常箇所が監視装置１の内外のいずれかであるのかを特定するために、本実施例では、ＲＯＭ１３やフラッシュメモリ１４などに入出力ポート２４から光アダプタ３２までの距離（内部距離）が記憶されている。この内部距離は、監視装置１の設計に依存し、全ての分岐ポート３４で一律であってもよいし、分岐ポート３４毎に異なっていてもよい。また、実際は監視装置１の外側であっても実質的に監視装置１の内側と見なせる短い距離（例えば、１ｍ）であってもよい。もちろん、初期測定情報ページ１４０にグラフ曲線１４２を拡大表示させる機能を含ませておき、拡大されたグラフ曲線１４２において、監視装置１に最も近い不連続点を光アダプタ３２の位置とし、その距離を異常判定点と同様にしてカーソル１４３によって指定するようにしてもよい。
【００５８】
また、上記監視条件設定ページ１２０には、監視装置１内での異常を判定するための基準値を設定するためのテキストボックス（図７：符号１２６）が含まれており、制御部１０は、この内部距離以下で異常が発生した際には、監視装置１の異常を前面パネル３の所定の動作状態ランプ５４を点灯させて報知する。また、状態確認ページ１１０において、該当の動作状態ランプ５４に対応する画像（図６，図９：符号１１５）に点灯状態を示す色で着色する。また、監視装置１が異常である旨のメッセージを含んだレポートを作成し、電子メールにて監視装置１が異常である旨を報知する。
【産業上の利用可能性】
【００５９】
この発明は、光通信網を構成する光ファイバの点検用途などに利用可能である。
【符号の説明】
【００６０】
１  光ファイバ監視装置、２  筐体、３  前面パネル、４  電源コンセント、
１０  制御部、１１  ＣＰＵ、１４  フラッシュメモリ、２０  測定部、
２１  光パルス出力部、２２  光パルス入力部、２４  入出力ポート、
３０  ファイバセレクタ部、３１  光スイッチ、３２  光アダプタ、
３３  共通ポート、３４  分岐ポート、３７  光路接続機構、
４０  通信部、４１  通信制御部、４２  ＬＡＮポート、
５０  入出力部、５１  表示制御部、５２  操作制御部、
５３  監視用ＬＥＤ、５４  状態表示ランプ、５５  操作ボタン、
６０  光ファイバ、１００  ログインページ、
１１０  状態確認ページ、１１２  ＬＥＤ画像、１２０  監視条件設定ページ、
１３０  ポート設定ページ、１４０  初期測定情報ページ、
１５０  ネットワーク設定ページ、１６０  ユーザ情報設定ページ、
１７０  メールアドレス設定ページ、１８０  測定結果ページ、
１９０  監視測定情報ページ
【図１】
2011069679.tif 000003
【図２】
2011069679.tif 000004
【図３】
2011069679.tif 000005
【図４】
2011069679.tif 000006
【図５】
2011069679.tif 000007
【図６】
2011069679.tif 000008
【図７】
2011069679.tif 000009
【図８】
2011069679.tif 000010
【図９】
2011069679.tif 000011
【図１０】
2011069679.tif 000012
【図１１】
2011069679.tif 000013
【図１２】
2011069679.tif 000014
【図１３】
2011069679.tif 000015
【図１４】
2011069679.tif 000016
【図１５】
2011069679.tif 000017
【図１６】
2011069679.tif 000018
【図１７】
2011069679.tif 000019
【図１８】
2011069679.tif 000020